(57)【要約】      （修正有）【課題】膝の汚れを防止し、且つ、膝を付いた状態で膝を安定して保護することができる膝用サポーターを提供する。【解決手段】膝の所望位置に着脱自在に取り付け、膝の汚れを防止し、膝を保護する膝用サポーター１００であって、略四角柱の形状である弾性部材１１と、略帯形状である取付部材１２とを有し、弾性部材１１は、膝の座屈時に該膝を押し当てて、該膝を保持し、取付部材１２は、一端の表面に面ファスナ１２ａを備え、膝の下部に巻き付けて、弾性部材１１を所望位置に配置する、ことを特徴とする。【選択図】図２
0003221457.tif 000002
【実用新案登録請求の範囲】
【請求項１】
膝の所望位置に着脱自在に取り付け、前記膝の汚れを防止し、前記膝を保護する膝用サポーターであって、
略四角柱の形状である弾性部材と、
略帯形状である取付部材と
を有し、
前記弾性部材は、前記膝の座屈時に該膝を押し当てて、該膝を保持し、
前記取付部材は、前記膝の下部に巻き付けて、前記弾性部材を前記所望位置に配置する、
ことを特徴とする膝用サポーター。
【請求項２】
前記弾性部材は、底面の形状の縦方向の長さが５０ｍｍから２００ｍｍで横方向の長さが３０ｍｍから１００ｍｍであり、高さ方向の長さが３０ｍｍから１５０ｍｍである、
ことを特徴とする、請求項１に記載の膝用サポーター。
【請求項３】
前記取付部材は、一端の表面に面ファスナを備え、前記膝に巻き付けて該膝に前記面ファスナで固定される、
ことを特徴とする、請求項１または請求項２に記載の膝用サポーター。
【考案の詳細な説明】
【技術分野】
【０００１】
本考案は、膝の所定位置に着脱自在に取り付け、膝の汚れを防止及び保護する膝用サポーターに関する。
【背景技術】
【０００２】
膝を保護するためのサポーター（以下、「膝用サポーター」という）は、略筒状で、膝と接触する部分を曲面に形成して、足を通して取り付けるものが知られている。特許文献１には、膝を圧接しても不快感を覚えず、水仕事をしても膝の箇所が汚れず、激しい動きをしても位置がずれず、軽量で、洗うことにより再使用が可能な膝当てについて、表部材に裏部材を重合して端部を縫着して伸縮自在に形成することにより、裏面側に内方に折り曲げると共に、前記表部材の左右の略中央部の一方から他方に締付紐を架橋した膝当てに関する技術を開示している。特許文献２には、膝の所定位置を覆って着脱自在に巻き付け、両膝同士の衝突などの外力の印加に起因する痛みを積極的に緩和する膝痛緩和膝当てであって、展開平面が大略矩形状を有し、膝部の周囲の大部分を包むサイズとされた柔軟な織布からなり、その一辺の少なくとも一部が開放され、対向する第一辺と第二辺の２辺に前記に相互に容易着脱可能な面ファスナーを取り付けた袋状本体と、前記袋状本体の内部に収納されて、最大でも当該袋状本体の空間容積を満たす容積をもち、一端に空気充填・排気口を持つ気密性の空気袋を有し、前記袋状本体が、略矩形の上布と下布を重ね合わせてその中央領域の第一辺と第二辺及び第三辺の３辺に縫い目を有して、当該縫い目で囲まれた内側領域に前記空気袋を収容する袋部を形成してなり、前記３辺の縫い目の対向する２辺である第一辺と第二辺の縫い目の外側に前記面ファスナーを取り付けてなることを特徴とする膝痛緩和膝当てに関する技術を開示している。
【先行技術文献】
【特許文献】
【０００３】
【特許文献１】登録実用新案公報第３０１８０２０号
【特許文献２】登録実用新案公報第３１８５００３号
【考案の概要】
【考案が解決しようとする課題】
【０００４】
しかしながら、特許文献１および特許文献２には、地面に膝を付いて作業する場合で、地面が水たまりなどで汚れている場合に、膝の汚れを防止し、且つ、膝を付いた状態で膝を安定して保護する方法の記載がない。
【０００５】
本考案は、膝の汚れを防止し、且つ、膝を付いた状態で膝を安定して保護することができる膝用サポーターを提供することを目的とする。また、本考案は、地面に膝を付いて作業する場合で、地面が水たまりなどで汚れている場合に、膝の汚れを防止し、且つ、膝を付いた状態で膝を安定して保護することができる膝用サポーターを提供することを目的とする。
【課題を解決するための手段】
【０００６】
上記課題を解決するために、本考案の一つの実施形態は、膝の所望位置に着脱自在に取り付け、前記膝の汚れを防止し、前記膝を保護する膝用サポーターであって、略四角柱の形状である弾性部材と、略帯形状である取付部材とを有し、前記弾性部材は、前記膝の座屈時に該膝を押し当てて、該膝を保持し、前記取付部材は、前記膝の下部に巻き付けて、前記弾性部材を前記所望位置に配置する、ことを特徴とする膝用サポーターを提供する。
【０００７】
本考案の他の実施形態は、上記の膝用サポーターであって、前記弾性部材は、底面の形状の縦方向の長さが５０ｍｍから２００ｍｍで横方向の長さが３０ｍｍから１００ｍｍであり、高さ方向の長さが３０ｍｍから１５０ｍｍである、ことを特徴とする、膝用サポーターであってもよい。
【０００８】
本考案の他の実施形態は、上記のいずれかの膝用サポーターであって、前記取付部材は、一端の表面に面ファスナを備え、前記膝に巻き付けて該膝に前記面ファスナで固定される、ことを特徴とする膝用サポーターであってもよい。
【考案の効果】
【０００９】
本考案に係る膝用サポーターによれば、膝の汚れを防止し、且つ、膝を付いた状態で膝を安定して保護することができる。また、本考案に係る膝用サポーターによれば、地面に膝を付いて作業する場合で、地面が水たまりなどで汚れている場合に、膝の汚れを防止し、且つ、膝を付いた状態で膝を安定して保護することができる。
【図面の簡単な説明】
【００１０】
【図１】本考案の実施形態に係る膝用サポーターの使用時の一例を説明する説明図である。
【図２】本考案の実施形態に係る膝用サポーターの一例を説明する説明図である。
【考案を実施するための形態】
【００１１】
実施形態に係る膝用サポーターの例を用いて、本考案を説明する。なお、本考案は、以後に説明する膝用サポーター以外でも、膝を保護する保護具、膝宛ておよびその他道具であれば、いずれのものにも用いることができる。なお、本考案に係る膝用サポーターの色、材質は、特に限定されない。膝用サポーターの色は、色付き、透明、半透明のものであってもよい。膝用サポーターの色は、例えば使用者（利用者）の使用方法に合わせた柄のものや広告、日付け、説明文などを記載したものであってもよい。
【００１２】
以後に、本考案を説明する。
【００１３】
図１および図２を用いて、本考案の実施形態に係る膝用サポーターの構成を説明する。ここで、図１（ａ）は、本考案の実施形態に係る膝用サポーター１００の使用時の例を説明する写真である。図１（ｂ）は、本考案の実施形態に係る膝用サポーター１００の使用時の状態を説明する概略側面図である。図２は、本考案の実施形態に係る膝用サポーター１００の一例を示す斜視図である。なお、図１等に示す膝用サポーターの構成等は一例であり、本考案は図１等に示す膝用サポーター等に限定されるものではない。
【００１４】
図１（ａ）および図１（ｂ）に示すように、本考案に係る膝用サポーターは、膝の所望位置に着脱自在に取り付け、前記膝の汚れを防止し、前記膝を保護するもの（サポーター、保護具またはその他道具）である。本考案に係る膝用サポーターは、図１（ａ）および図１（ｂ）に示すように、膝が汚れるのを防止し、且つ、膝を付いた状態で膝を安定して保護する。これにより、本考案に係る膝用サポーターは、地面に膝を付いて作業する場合で、地面が水たまりなどで汚れている場合に、膝の汚れを防止し、且つ、膝を付いた状態で膝を安定して保護することができる。
【００１５】
図２に示すように、本考案に係る膝用サポーター１００は、本実施形態では、略四角柱の形状である弾性部材１１と、略帯形状である取付部材１２とを有する。弾性部材１１は、膝の座屈時に膝を押し当てて、膝を保持する。取付部材１２は、膝の下部に巻き付けて、弾性部材１１を所望位置に配置および固定する。なお、本考案に係る膝用サポーターの形状は、設計、実験、計算などで予め定められる形状とすることができる。また、所望位置は、設計、実験、計算などで予め定められる位置とすることができる。
【００１６】
弾性部材１１は、膝の座屈時に膝を押し当てて、膝を保持するものである。弾性部材１１は、膝の座屈時に膝を押し当てられて弾性変形する（図１（ａ）および図１（ｂ））。このとき、弾性部材１１は、地面から所定の距離を保ったまま、膝を保持する。これにより、弾性部材１１は、地面に膝を付いて作業する場合で、地面が水たまりなどで汚れている場合に、膝の汚れを防止し、且つ、膝を付いた状態で膝を安定して保護することができる。弾性部材１１は、本実施形態では、底面の形状の縦方向の長さが５０ｍｍから２００ｍｍで、横方向の長さが３０ｍｍから１００ｍｍであり、高さ方向の長さが３０ｍｍから１５０ｍｍである。なお、本考案に係る弾性部材１１の形状は、設計、実験、計算などで予め定められる形状とすることができる。ここで、所定の距離は、設計、実験、計算などで予め定められる所定の距離とすることができる。
【００１７】
取付部材１２は、膝の下部に巻き付けて、弾性部材１１を所望位置に配置および固定するものである。図２に示すように、取付部材１２は、一端の表面に面ファスナ１２ａを備える。膝用サポーター（取付部材１２）は、面ファスナ１２ａを用いて、膝に巻き付けて、膝の所望位置に着脱自在に固定することができる。なお、本考案に係る取付部材１２の形状は、設計、実験、計算などで予め定められる形状とすることができる。
【産業上の利用可能性】
【００１８】
本考案は、膝の所望位置に着脱自在に取り付け、前記膝の汚れを防止し、前記膝を保護するサポーター、保護具、道具などにおいて好適に利用することが可能である。
【００１９】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００２０】
１００  ：  膝用サポーター
１１  ：  弾性部材
１２  ：  取付部材
１２ａ：  面ファスナ部
【図１】
0003221457.tif 000003
【図２】
0003221457.tif 000004